【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】画像編集システム、画像編集装置及びその方法
【手続補正２】
【補正対象書類名】明細書
【補正対象項目名】特許請求の範囲
【補正方法】変更
【補正の内容】
【特許請求の範囲】
【請求項１】  画像を表示装置に表示させる画像表示手段と、
加工の対象となる領域が加工前の画像全体に対してどこにあるかを示す画像加工枠を、
前記画像とともに表示装置に表示させる枠表示手段と、
前記枠表示手段により画像加工枠が表示装置に表示された状態で所定のボタンが押されたか否かを判断する判断手段を有し、
前記枠表示手段は、前記判断手段により前記所定のボタンが押されたと判断すると前記画像加工枠の表示を変化させることを特徴とする画像編集装置。
【請求項２】  前記枠表示手段は、前記画像表示手段により表示された画像に重畳して前記画像加工枠を表示することを特徴とする請求項１に記載の画像編集装置。
【請求項３】  前記判断手段によって、画像加工枠の拡大、縮小を指示するためのボタンが押されたと判断した場合に、前記枠表示手段は、前記画像加工枠を拡大・縮小して表示させることを特徴とする請求項１または２に記載の画像編集装置。
【請求項４】  前記判断手段によって、画像加工枠の移動を指示するためのボタンが押されたと判断した場合に、前記枠表示手段は、前記画像加工枠を移動して表示させることを特徴とする請求項１乃至３に記載の画像編集装置。
【請求項５】  前記枠表示手段は、前記画像加工枠のうち前記画像の内側にある枠を表示することを特徴とする請求項１乃至４に記載の画像編集装置。
【請求項６】  前記判断手段により、画像の加工を実行する指示をするためのボタンが押されたと判断した場合に、前記画像加工枠によって示される領域を加工する加工手段を有する請求項１乃至５に記載の画像編集装置。
【請求項７】  前記加工は、前記画像のうち前記画像加工枠内にある部分を切り出す処理であることを特徴とする請求項６に記載の画像編集装置。
【請求項８】  前記画像表示手段は、前記加工手段による加工が終了すると、切り出された画像を表示装置に表示させることを特徴とする請求項５乃至７に記載の画像編集装置。
【請求項９】  前記加工手段は、加工を施す前に加工対象である画像をコピーすることを特徴とする請求項５乃至８に記載の画像編集装置。
【請求項１０】  画像を表示装置に表示させる画像表示手段と、
加工の対象となる領域が加工前の画像全体に対してどこにあるかを示す画像加工枠を、前記画像とともに表示装置に表示させる枠表示手段と、
前記枠表示手段により画像加工枠が表示装置に表示された状態で所定のボタンが押されたか否かを判断する判断手段を有し、
前記枠表示手段は、前記判断手段により前記所定のボタンが押されたと判断すると前記画像加工枠の表示を変化させることを特徴とする画像編集システム。
【請求項１１】  画像を表示装置に表示させる画像表示工程と、
加工の対象となる領域が加工前の画像全体に対してどこにあるかを示す画像加工枠を、前記画像とともに表示装置に表示させる枠表示工程と、
前記枠表示工程により画像加工枠が表示装置に表示された状態で所定のボタンが押されたか否かを判断する判断工程を有し、
前記枠表示工程は、前記判断工程により前記所定のボタンが押されたと判断すると前記画像加工枠の表示を変化させることを特徴とする画像編集方法。
【手続補正３】
【補正対象書類名】明細書
【補正対象項目名】０００１
【補正方法】変更
【補正の内容】
【０００１】
【発明の属する技術分野】
本発明は、ボタン操作により画像を加工する領域の設定が可能な画像編集装置、画像編集システム及びその方法に関するものである。
【手続補正４】
【補正対象書類名】明細書
【補正対象項目名】０００４
【補正方法】変更
【補正の内容】
【０００４】
本発明の目的は、画像を加工する領域の設定を、ボタン操作を用いて簡単に行うことができる画像編集装置を提供することにある。
【手続補正５】
【補正対象書類名】明細書
【補正対象項目名】０００５
【補正方法】変更
【補正の内容】
【０００５】
【課題を解決するための手段】
上記課題を解決するために、本発明は、画像を表示装置に表示させる画像表示手段と、加工の対象となる領域が加工前の画像全体に対してどこにあるかを示す画像加工枠を、前記画像とともに表示装置に表示させる枠表示手段と、前記枠表示手段により画像加工枠が表示装置に表示された状態で所定のボタンが押されたか否かを判断する判断手段を有し、前記枠表示手段は、前記判断手段により前記所定のボタンが押されたと判断すると前記画像加工枠の表示を変化させることを特徴とする。
【手続補正６】
【補正対象書類名】明細書
【補正対象項目名】０００６
【補正方法】変更
【補正の内容】
【０００６】
また、本発明は、画像を表示装置に表示させる画像表示工程と、
加工の対象となる領域が加工前の画像全体に対してどこにあるかを示す画像加工枠を、前記画像とともに表示装置に表示させる枠表示工程と、
前記枠表示工程により画像加工枠が表示装置に表示された状態で所定のボタンが押されたか否かを判断する判断工程を有し、
前記枠表示工程は、前記判断工程により前記所定のボタンが押されたと判断すると前記画像加工枠の表示を変化させることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００２１
【補正方法】変更
【補正の内容】
【００２１】
８は大容量フレキシブルディスク（可動式外部記憶装置、以下「ＦＤ」）である。例えば、ここではＬＳ−１２０（登録商標）の３．５インチＦＤであるとかＺＩＰ（登録商標）などである。この大容量ＦＤ８は、７のＦＤＣ（ＦＤコントローラ）を介して１のＣＰＵの指令によりアルバムファイル情報、画像データ情報等を記憶、保存するとともにあらかじめ、８のＦＤに記憶されているプログラム等を２のＲＡＭ上にロードする。１０はプリンタで、９のプリンタ制御装置を介してプリントアウトされる。
【手続補正１８】
【補正対象書類名】明細書
【補正対象項目名】００３２
【補正方法】変更
【補正の内容】
【００３２】
次に、ステップＳ１２では、図１１に示すように、トリミング加工を施した写真をプレビュー画面にて表示する。図１１は、図１０の点線枠にそってトリミング加工を施したプレビュー画面である。次に、ステップＳ１３で、図１１に示すプレビュー画面の加工一覧ボタン１１０１が選択されたか否か判断し、選択された場合、ステップＳ３の処理に移る。
【手続補正１９】
【補正対象書類名】明細書
【補正対象項目名】００３５
【補正方法】変更
【補正の内容】
【００３５】
（第２の実施形態）
第２の実施形態は、第１の実施形態で説明した図３のフローチャートのステップ８、ステップ９以外は同じなので、詳細な説明を省略する。
【手続補正２０】
【補正対象書類名】明細書
【補正対象項目名】００４０
【補正方法】変更
【補正の内容】
【００４０】
（第３の実施形態）
第３の実施形態は、第１の実施形態で説明した図３のフローチャートのステップ８、ステップ９以外は同じなので、詳細な説明を省略する。
【手続補正２１】
【補正対象書類名】明細書
【補正対象項目名】００４４
【補正方法】変更
【補正の内容】
【００４４】
（第４の実施形態）
第４の実施形態は、第１の実施形態で説明した図３のフローチャートのステップ８、ステップ９以外は同じなので、詳細な説明を省略する。
【手続補正２２】
【補正対象書類名】明細書
【補正対象項目名】００５４
【補正方法】変更
【補正の内容】
【００５４】
プログラムコードを供給するための記録媒体としては、例えば、フレキシブルディスク、ハードディスク、光ディスク、光磁気ディスク、ＣＤーＲＯＭ、ＣＤーＲ、磁気テープ、不揮発性のメモリカード、ＲＯＭなどを用いることができる。
【手続補正２３】
【補正対象書類名】明細書
【補正対象項目名】００５７
【補正方法】変更
【補正の内容】
【００５７】
【発明の効果】
本発明によれば、ユーザは所定のボタンを押すだけで、加工する領域を示す枠の設定を簡単に行うことがことができる。
【手続補正２４】
【補正対象書類名】明細書
【補正対象項目名】００５８
【補正方法】変更
【補正の内容】
【００５８】
また本発明では、加工前の画像全体に対する加工する領域の位置を、枠領域を用いて示すため、ユーザは画像全体に対してどの位置にある領域が加工の対象になるのかを容易に把握することができる。
【手続補正２５】
【補正対象書類名】明細書
【補正対象項目名】００５９
【補正方法】削除
【補正の内容】
【手続補正２６】
【補正対象書類名】明細書
【補正対象項目名】００６０
【補正方法】削除
【補正の内容】
【手続補正２７】
【補正対象書類名】明細書
【補正対象項目名】００６１
【補正方法】削除
【補正の内容】
【手続補正２８】
【補正対象書類名】明細書
【補正対象項目名】００６２
【補正方法】削除
【補正の内容】